(57)【要約】【課題】高級感を醸し出すために、軸筒の把持部内に錘部材を、がたつくことなくかつ偏心することなく固定した筆記具を得る。【解決手段】前軸２ａにおける前内筒４ａの内壁面部分８ａに、軸心方向に伸びた突状部９を設ける。パイプ状に形成した錘部材１０を、前内筒４の内壁面部分８ａに、外周面を前記突状部９に圧接し、後端を前内筒４ａの後端より突出させて、圧入状態で挿入する。錘部材１０の後端を連結部材１３に形成した嵌合部１２にに圧入状態で嵌合して、連結部材１３を前内筒４ａの後端に螺着しかつ接着して配設する。ばね２７により後方に付勢したボールペンレフィル２８を、前記錘部材１０のパイプ内に挿通して収容する。【選択図】図１
2009286084.tif 000002
【特許請求の範囲】
【請求項１】
軸筒を前軸と後軸とで構成し、前軸の内壁面に長手方向に延びた複数の突条部を設けて、パイプ状の錘部材を、該錘部材の外周面に前記突状部を圧接して前軸内に圧入状態で、かつ前軸の軸心と錘部材の軸心が同一線上となるように挿入し、後軸と着脱自在に螺着する前軸に固着する連結部材に、錘部材の外径と略同径の内径を有する嵌合部を設け、錘部材の後端を、前記嵌合に圧入状態で嵌合し、連結部材を前軸の後端に固着して、錘部材を前軸内に長手方向かつ軸径方向に移動することなく配し、軸筒内に収容する筆記体を、錘部材のパイプ内に挿通させて軸筒内に収容してなる筆記具。
【発明の詳細な説明】
【技術分野】
【０００１】
本発明は、軸筒内に錘部材を移動することなく配した筆記具に関する。
【背景技術】
【０００２】
従来、筆記具にはキャップ式や繰出し式の構造のものがあるが、キャップ式の場合には、筆記時においてはキャップを筆記具本体の軸筒の後端に挿着して使用するので、またノック式筆記具や回転繰出式筆記具等においては、繰出し機構が軸筒の後方部分に配してあるので、筆記時において、軸筒の後端側の重量が重くなってしまい、筆記時における使用感や疲労が生じるという問題があり、筆記時における使用感を向上させ、疲労を少なくするために、軸筒の把持部に錘部材を配する技術は知られている。
【０００３】
筆記具の軸筒は、合成樹脂やアルミニウム等で製造されているが、商品によっては高価格で販売するものもある。高価格の商品にあっては、それに見合った高級感が重要となるが、筆記具全体の重量が軽すぎると高級感を醸し出せないという問題があった。こうした問題を解決するには、筆記具の軸筒内に錘部材を配する手段を講じれば良いが、筆記時における筆記具の重量バランスが悪いとかえって高級感を損ねてしまう。筆記時における筆記具の重量バランスを考慮すると、軸筒の把持部内に錘部材を配した構造が良い。
【０００４】
しかし、単に錘部材を軸筒内に配すれば良いというものではない。軸筒内に偏心して取付けてしまうと、筆記時における使用感が逆に悪くなったり、疲労が生じ易くなってしまうという問題が生じてしまう。特に、軸筒内に繰出機構を有した繰出式筆記具においては、繰出操作により筆記体の筆記先端部を軸筒の先端開口部より繰出す際に筆記体がスムーズに前進しないので、操作感が悪くなってしまう。錘部材が長尺になればなるほど軸筒内に偏心することなく取付けるのは困難となる。また、高級感を醸し出すために、錘部材は軸筒内にがたつくことなく取付けることが重要となる。
【特許文献１】実開昭５６−１７６８８０号公報
【特許文献２】実開平６−５９０８９号公報
【発明の開示】
【発明が解決しようとする課題】
【０００５】
本発明は、高級感を醸し出すために、軸筒の把持部内に錘部材を、簡単な構造で、がたつくことなくかつ偏心することなく固定した筆記具を得るものである。
【課題を解決するための手段】
【０００６】
本発明は、
「１．軸筒を前軸と後軸とで構成し、前軸の内壁面に長手方向に延びた複数の突条部を設けて、パイプ状の錘部材を、該錘部材の外周面に前記突状部を圧接して前軸内に圧入状態で、かつ前軸の軸心と錘部材の軸心が同一線上となるように挿入し、後軸と着脱自在に螺着する前軸に固着する連結部材に、錘部材の外径と略同径の内径を有する嵌合部を設け、錘部材の後端を、前記嵌合に圧入状態で嵌合し、連結部材を前軸の後端に固着して、錘部材を前軸内に長手方向かつ軸径方向に移動することなく配し、軸筒内に収容する筆記体を、錘部材のパイプ内に挿通させて軸筒内に収容してなる筆記具。」
である。
【０００７】
本発明において、錘部材を前軸に、前軸の軸心と錘部材の軸心が同一線上となるように挿入するには、前軸の断面が円形状の内壁面において、内方への突出代が同じ突状部を、周状に等間隔に３つ以上設けることで、錘部材を前軸に挿入した際には、前軸の内壁面が変形していたり、パイプが偏芯していなければ、前軸の軸心と錘部材の軸心が同一線上となる。
【発明の効果】
【０００８】
本発明の筆記具は前記したような構造なので、錘部材が軸筒内でがたつくこともなく、かつパイプ状の錘部材を容易に軸筒内に偏心することなく配することができる。また、筆記体を交換する際も、軸筒の軸心と錘部材の軸心は同一線上にあるので、筆記体を軸筒内に配した錘部材のパイプ内にスムーズに挿入できるので、筆記体の軸筒内への収容もいたって簡単に収容することができる。
【発明を実施するための最良の形態】
【０００９】
錘部材をパイプ状に形成して、軸筒内に圧入して配する。
【実施例】
【００１０】
本実施例を図１〜図２を用いて説明するが、本実施例では筆記具としてノック式ボールペンを例にあげて述べるが、これに限定されるものではない。図１は、本実施例のノック式ボールペンの一部を断面した縦断面図である。図２は、要部の縦断面図である。
【００１１】
実施例のノックボールペン１は、軸筒２がアルミニウムで形成された外筒３の内側に樹脂製の内筒４を配した構造となっている。また軸筒２は、前軸２ａと後軸２ｂを連結して１つの軸筒としてある。外筒３も前外筒３ａと後外筒３ｂで構成され、内筒４も前内筒４ａと後内筒４ｂとで構成されている。
【００１２】
前軸２ａにおける前内筒４ａは、図２に示すように先端（図２において左側方向）に先端開口部５を有した先端部分６は、段部７を有して小径となっている。前記段部７の後方（図２において右側方向）の前内筒４ａの内壁面部分８には、軸心方向に伸びた突状部９を周方向に等間隔で４つ設けてある。４つの突状部９の内方への突出量は全て同じ突出量で設けてある。
【００１３】
パイプ状に形成した黄銅製の錘部材１０を、前記内壁面部分８に、錘部材１０の外周面を前記突状部９に圧接し、後端を前内筒４ａの後端より突出させて、圧入状態で挿入してある。リング状の突部１１を有し、前記錘部材１０の外径と略同径の嵌合部１２を設けた金属製の連結部材１３を、前記錘部材１０の後端を嵌合部１２に圧入状態で嵌合して、前内筒４ａの後端に螺着しかつ接着して配設してある。錘部材１０は、連結部材１３を前内筒４ａの後端に配設する際に押圧されて前進（図２において左側方向）して、前内筒４ａ内に収容される。以後、錘部材１０は前内筒４ａ内に圧入状態で収容してあり、かつ後端を連結部材１３の嵌合部に１２に圧入状態で嵌合して保持されているので、前内筒４ａ内の長手方向や軸径方向に移動することはない。
【００１４】
図１に示すように、前外筒３ａも前内筒４ａと同様の外形形状をしており、先端部分１４は、段部１５を有して小径となっている。この前外筒３ａを前内筒４ａに被覆して装着し、前外筒３ａの後端を連結部材１３の突部１１に当接させ、先端部分１４が前内筒４ａの先端部分６に位置させてある。前外筒３ａは、前内筒４ａに接着してある。前外筒３ａの先端部分１４には、先端に開口部１６を有し周側面にクリップ１７を有した尖端筒１８が先端部分１４を被覆し、尖端筒１８の後端を前外筒３ａの段部１５に当接して装着してある。尖端筒１８は、前外筒３ａの先端部分１４に接着してある。こうして、前軸２ａとして形成してある。
【００１５】
後軸２ｂは、両端を開口した後内筒４ｂと後外筒３ｂとで構成してある。後内筒４の後端（図１において右側方向）には、外径が小径となる段部１９を設けてある。後外筒３ｂの後端（図１において右側方向）には、前記段部１９に当接する当接部２０を設けてあり、当接部２０を段部１９に当接して、後外筒３ｂを後内筒４ｂａに被覆し、後外筒３ｂを後内筒４ｂａに接着してある。後内筒４の段部１９を構成する外径が小径な小径部２１には、後端金輪２２が螺子嵌合しかつ接着してある。後外筒３ｂの当接部２０は後内筒４ｂの段部１９と、前記後端金輪２２の先端部で挟持されている。
【００１６】
前記後軸２ｂ内には、従来のノック式ボールペンと同様に、後内筒３ｂの後方の内壁面にはカム溝（図示せず）を形成してあり、先端部の外周面に前記カム溝に係合する複数の突起（図示せず）を周状に配列し、先端に山型状の凹凸部（図示せず）を有したカム部２３を有したノック体２４を、後端を後軸２ｂの後端から突出させ、カム部２３の突起をカム溝に係合して、前後動可能に後内筒４ｂ内に配してある。ノック体２４のカム部２３の前方には、前記カム溝に係合する複数のカム突起（図示せず）を外周面に周状に設け、カム部２３の凹凸部に噛合う噛合部（図示せず）を有した回転カム筒２５が、カム突起をカム溝に係合し、カム溝に沿って前後に移動可能に、後端をカム部２３の先端に当接して配してある。回転カム筒２５にはノック体２４内に位置する軸部２６を有している。回転カム筒２５の前方には、ばね２７により後方に付勢したボールペンレフィル２８を、前記錘部材１０のパイプ内に挿通して収容してある。
【００１７】
後軸２ｂは連結部材１３に螺子嵌合によ取付けられており、前軸２ａに着脱自在に連結している。後軸２ｂの先端（図１において左側）には装飾用金輪２９が配してあり、後軸２ｂの先端と連結部材１３の突部１１とで挟持して設けて、本実施例のノック式ボールペン１としてある。
【産業上の利用可能性】
【００１８】
本発明は、筆記具の重量を重くした場合に利用することができ、キャップを有した構造の筆記具でも、ノック式や回転繰出式等の繰出機構を軸筒内に具備した構造の筆記具でも採用できる。
【図面の簡単な説明】
【００１９】
【図１】本実施例のノック式ボールペンの一部を断面した縦断面図である。
【図２】本実施例の要部の縦断面図である。
【符号の説明】
【００２０】
１  ノック式ボールペン
２  軸筒
２ａ  前軸
２ｂ  後軸
９  突状部
１０  錘部材
１２  嵌合部
１３  連結部材
２８  ボールペンレフィル
【図１】
2009286084.tif 000003
【図２】
2009286084.tif 000004